(57)【要約】【課題】レンチを要することなく、ベルトテンション調整ブラケットの位置調整を行うことができるベルトテンション調整ブラケットの位置調整装置の提供。【解決手段】本発明はエレベータ装置に備えられ、押圧力が与えられる立ち上がり部１１ｃを有し、かごドア９を開閉させる主ベルト６のテンションを調整するものであり、下側に形成され、ベルトテンション調整ブラケット１１の立ち上がり部１１ｃが挿入可能な開放空間１５ａを有する第１枠体１５と、第１ねじ部の部位に係止される第２枠体１６と、第１枠体１５の側面１５ｂに設けたねじ部に螺合し、一端が第１枠体１５の外部に突出し、他端が第１枠体１５の内部に収納されるねじ棒２３と、このねじ棒２３の一端に設けたつまみ部２４と、ねじ棒２３の他端に設けられ、第１枠体１５に立ち上がり部１１ｃが挿入された際に、立ち上がり部１１ｃに押圧力を付与可能な押圧部３０とを備えている。【選択図】図３
2016155668.tif 000002
【特許請求の範囲】
【請求項１】
エレベータ装置に備えられ、押圧力が与えられる立ち上がり部を有し、かごドアを開閉させる主ベルトのテンションを調整するベルトテンション調整ブラケットの位置調整装置において、
下側に形成され、前記ベルトテンション調整ブラケットの前記立ち上がり部が挿入可能な開放空間と、所定部位に係止される係止部とを有する枠体と、
前記枠体の側面に設けたねじ部に螺合し、一端が前記枠体の外部に突出し、他端が前記枠体の内部に収納されるねじ棒と、
前記ねじ棒の前記一端に設けたつまみ部と、
前記ねじ棒の前記他端に設けられ、前記枠体に前記立ち上がり部が挿入された際に、前記立ち上がり部に押圧力を付与可能な押圧部とを備えたことを特徴とするベルトテンション調整ブラケットの位置調整装置。
【請求項２】
請求項１に記載のベルトテンション調整ブラケットの位置調整装置において、
前記ベルトテンション調整ブラケットは、
前記主ベルトが巻き回されるプーリを回転自在に保持する保持部と、
前記保持部に連設され、ドアポケットの上面部に摺動可能に設けられ、前記主ベルトの延設方向に沿ってそれぞれ形成された第１長穴と第２長穴とを有する平板部とを有し、
前記立ち上がり部を前記平板部の端部に設け、前記第１長穴を前記立ち上がり部に近い側に、前記第２長穴を前記立ち上がり部から遠い側に位置させ、
前記エレベータ装置は、
前記ベルトテンション調整ブラケットの前記第１長穴に対応した位置に形成された第１ねじ部、及び前記第２長穴に対応した位置に形成された第２ねじ部と、
前記第１ねじ部に螺合し、前記ベルトテンション調整ブラケットを前記ドアポケットに固定する第１固定ボルト、及び前記第２ねじ部に螺合し、前記ベルトテンション調整ブラケットを前記ドアポケットに固定する第２固定ボルトとを備え、
前記所定部位は、前記第１ねじ部の部位から成り、
前記枠体の係止部は、前記第１ねじ部に対応する位置に形成したボルト穴、または前記第１ねじ部に挿入されたボルトに係止される切り欠き部から成ることを特徴とするベルトテンション調整ブラケットの位置調整装置。
【請求項３】
請求項２に記載のベルトテンション調整ブラケットの位置調整装置において、
前記枠体は、前記ベルトテンション調整ブラケットの前記立ち上がり部が挿入可能な前記開放空間が下側に形成された第１枠体と、この第１枠体とは別体に設けられ、前記ボルト穴または前記切り欠き部を有する第２枠体とから成り、
前記第１枠体と前記第２枠体とを連結する連結具を備えたことを特徴とするベルトテンション調整ブラケットの位置調整装置。
【請求項４】
請求項３に記載のベルトテンション調整ブラケットの位置調整装置において、
前記第２枠体は、下面部と、この下面部に対向する上面部とを有し、
前記係止部を形成する前記ボルト穴は、前記第２枠体の前記下面部に形成したボルト穴と、このボルト穴に対向するように前記上面部に形成したボルト穴とから成り、
前記ベルトテンション調整ブラケットの位置調整に際して、前記第１固定ボルトに代えて設けられ、前記第２枠体の前記下面部に形成されたボルト穴、及び前記上面部に形成されたボルト穴に挿入され、前記第１ねじ部に螺合する長ボルトを備えたことを特徴とするベルトテンション調整ブラケットの位置調整装置。
【請求項５】
請求項４に記載のベルトテンション調整ブラケットの位置調整装置において、
前記第１枠体の前記開放空間は、上下方向に貫通形成されたものから成ることを特徴とするベルトテンション調整ブラケットの位置調整装置。
【請求項６】
請求項３に記載のベルトテンション調整ブラケットの位置調整装置において、
前記連結具は、前記第１枠体と前記第２枠体を連結するボルトと、このボルトに螺合するナットとの組み合わせから成り、
前記第２枠体は、前記ナットまたは前記ボルトを回転させる工具が挿入可能な挿入空間を有することを特徴とするベルトテンション調整ブラケットの位置調整装置。
【請求項７】
請求項１〜６のいずれか１項に記載のベルトテンション調整ブラケットの位置調整装置において、
前記押圧部は、前記ベルトテンション調整ブラケットの前記立ち上がり部に当接可能なつば部を有することを特徴とするベルトテンション調整ブラケットの位置調整装置。
【請求項８】
請求項７に記載のベルトテンション調整ブラケットの位置調整装置において、
前記つまみ部を前記ねじ棒の前記一端に固定するロックナットを備えたことを特徴とするベルトテンション調整ブラケットの位置調整装置。
【請求項９】
請求項７に記載のベルトテンション調整ブラケットの位置調整装置において、
前記ねじ棒に対する前記押圧部の位置を規定する位置決めナットを備え、
前記ねじ棒と、前記押圧部と、前記位置決めナットを溶接によって一体に設けたことを特徴とするベルトテンション調整ブラケットの位置調整装置。
【請求項１０】
請求項７に記載のベルトテンション調整ブラケットの位置調整装置において、
前記ねじ棒に対する前記押圧部の位置を規定する位置決めナットと、
前記押圧部を挟むように前記位置決めナットの反対側に位置するように前記ねじ棒に螺合し、前記押圧部の前記つまみ部方向への移動を規制する規制ナットとを備え、
前記位置決めナット及び前記規制ナットを前記ねじ棒に溶接によって一体に設け、
前記押圧部を前記ねじ棒に遊嵌させたことを特徴とするベルトテンション調整ブラケットの位置調整装置。
【発明の詳細な説明】
【技術分野】
【０００１】
本発明は、エレベータ装置のかごドアを開閉させる主ベルトのテンションを調整するベルトテンション調整ブラケットの位置調整装置に関する。
【背景技術】
【０００２】
この種の従来技術が特許文献１に開示されている。この特許文献１に示されるベルトテンション調整ブラケットは、エレベータ装置のかごドアを開閉させる主ベルトが掛け回されるプーリを回転自在に保持する保持部と、この保持部に連設され、ドアポケットの上面部に摺動可能に設けられ、主ベルトの延設方向に沿ってそれぞれ形成された第１長穴と第２長穴とを有する平板部と、この平板部の端部に設けられ、押圧力が与えられる立ち上がり部とを備えている。前述した第１長穴は、立ち上がり部に近い側に、また第２長穴は、立ち上がり部から遠い側に位置している。
【０００３】
かごドアを開閉させる主ベルトが緩み過ぎると、プーリと主ベルトとの間にスリップが生じ、かごドアが開かなくなることが起こり得る。また、主ベルトを張り過ぎると、主ベルトの切断を生じ、これによってもかごドアが開かなくなることが起こり得る。このようなことから、主ベルトのテンションが適正範囲内かどうか定期的に検査され、適正範囲内でない場合には、前述したベルトテンション調整ブラケットの位置を調整することが行われる。
【０００４】
なお、特許文献１に開示されたエレベータ装置は、ベルトテンション調整ブラケットの第１長穴に対応した位置に形成された第１ねじ部、及び第２長穴に対応した位置に形成された第２ねじ部を備えている。また、このエレベータ装置は、第１ねじ部に螺合し、ベルトテンション調整ブラケットをドアポケットに固定する第１固定ボルト、及び第２ねじ部に螺合し、ベルトテンション調整ブラケットをドアポケットに固定する第２固定ボルトを備えている。
【０００５】
特許文献１に開示されたベルトテンション調整ブラケットの位置調整装置は、第１長穴に挿入され、前述の第１ねじ部に螺合する第１固定ボルトに嵌着されるボックスと、このボックスに接続されたねじ棒と、このねじ棒に遊嵌され、前述したベルトテンション調整ブラケットの立ち上がり部を押圧可能なブラケット押し金具と、前述したねじ棒に螺合し、ブラケット押し金具を押圧可能な調整ナットとを備えている。
【０００６】
この従来技術にあっては、主ベルトのテンションを調整するためにベルトテンション調整ブラケットの位置を調整する際には、ベルトテンション調整ブラケットをドアポケットに固定する第１固定ボルト及び第２固定ボルトを緩めた状態にし、第１固定ボルトにボックスを嵌着させ、ねじ棒に遊嵌させたブラケット押し金具をベルトテンション調整ブラケットの立ち上がり部に当接させる。この状態において、レンチによって調整ナットを回転させて、ねじ棒に対する調整ナットの移動によるブラケット押し金具の移動によって、ベルトテンション調整ブラケットの立ち上がり部を押圧する。これにより、ベルトテンション調整ブラケットの位置が調整され、これに伴って主ベルトのテンションが適正範囲内となるように調整される。
【先行技術文献】
【特許文献】
【０００７】
【特許文献１】特開平１０−７７１８１号公報
【発明の概要】
【発明が解決しようとする課題】
【０００８】
前述した従来技術にあっては、ベルトテンション調整ブラケットの位置を調整する際に、調整ナットを回転させるためにねじ棒と直交する方向に伸長するようにレンチを配置し、このレンチを把持して回動操作を繰り返すことによって調整ナットを回転させることが必要になる。したがって、従来技術では、レンチを把持してこのレンチを調整ナットに嵌着させる動作が必要になるとともに、レンチを周辺の機器、機材に干渉しないように注意しながら繰り返し回動させてベルトテンション調整ブラケットの位置調整を行わなければならず、位置調整作業が煩雑になり、この位置調整作業の能率の向上を見込めない問題があった。
【０００９】
本発明は、前述した従来技術における実情からなされたもので、その目的は、レンチを要することなく、ベルトテンション調整ブラケットの位置調整を行うことができるベルトテンション調整ブラケットの位置調整装置を提供することにある。
【課題を解決するための手段】
【００１０】
前記目的を達成するために、本発明に係るベルトテンション調整ブラケットの位置調整装置は、エレベータ装置に備えられ、押圧力が与えられる立ち上がり部を有し、かごドアを開閉させる主ベルトのテンションを調整するベルトテンション調整ブラケットの位置調整装置において、下側に形成され、前記ベルトテンション調整ブラケットの前記立ち上がり部が挿入可能な開放空間と、所定部位に係止される係止部とを有する枠体と、前記枠体の側面に設けたねじ部に螺合し、一端が前記枠体の外部に突出し、他端が前記枠体の内部に収納されるねじ棒と、前記ねじ棒の前記一端に設けたつまみ部と、前記ねじ棒の前記他端に設けられ、前記枠体に前記立ち上がり部が挿入された際に、前記立ち上がり部に押圧力を付与可能な押圧部とを備えたことを特徴ことを特徴としている。
【発明の効果】
【００１１】
本発明に係るベルトテンション調整ブラケットの位置調整装置は、レンチを要することなく、つまみ部を把持して回転させるだけでベルトテンション調整ブラケットの位置調整を行うことができ、位置調整作業が簡単で、従来に比べてこのベルトテンション調整ブラケットの位置調整作業の能率を向上させることができる。
【図面の簡単な説明】
【００１２】
【図１】本発明に係るベルトテンション調整ブラケットの位置調整装置が用いられるエレベータ装置に備えられるエレベータドア駆動機構の概略構成を示す図である。
【図２】本発明に係る位置調整具によって調整されるベルトテンション調整ブラケットの配設形態を示す斜視図である。
【図３】本発明に係る位置調整具の一実施形態を示す斜視図である。
【図４】本実施形態に備えられる押圧部の取り付け形態を示す正面図である。
【図５】本実施形態に備えられる連結部の取り付け形態を示す正面図である。
【図６】本実施形態を用いて行われるベルトテンション調整ブラケットの位置調整作業時の状態を示す斜視図である。
【図７】本実施形態を用いて行われるベルトテンション調整ブラケットの位置調整作業時の状態を示す平面図である。
【発明を実施するための形態】
【００１３】
以下、本発明に係るベルトテンション調整ブラケットの位置調整装置の実施の形態を図面に基づいて説明する。
【００１４】
はじめに図１，２に基づいて、本発明に係るベルトテンション調整ブラケットの位置調整装置の位置調整対象であるベルトテンション調整ブラケットに関連する技術について説明する。
【００１５】
図２に示すベルトテンション調整ブラケット１１が取り付けられるエレベータ装置は、図１に示すように、ドアモータ１と、このドアモータ１によって回転する減速プーリ２と、ドアモータ１の回転力を減速プーリ２に伝えるベルト３とを備えている。
【００１６】
また、減速プーリ２と一体的に回転する第１プーリ４と第２プーリ５とを、これらの第１プーリ４と第２プーリ５に掛け回される主ベルト６とを備えている。主ベルト６に、かごドア９を保持するドアハンガ８に取り付けられた連結部７が連結されている。
【００１７】
図２に示すように、ベルトテンション調整ブラケット１１は、主ベルト６が掛け回される第２プーリ５を回転自在に保持する第２プーリ保持部１１ａと、この第２プーリ保持部１１ａに連設され、ドアポケット１０の上面部１０ａに摺動可能に設けられ、主ベルト６の延設方向に沿ってそれぞれ形成された第１長穴１１ｂ１と第２長穴１１ｂ２を有する平板部１１ｂと、この平板部１１ｂの端部に設けられ、押圧力が与えられる立ち上がり部１１ｃを備えている。第１長穴１１ｂ１は、立ち上がり部１１ｃに近い側に、また第２長穴１１ｂ２は、立ち上がり部１１ｃから遠い側に位置している。
【００１８】
また、このようなベルトテンション調整ブラケット１１を有するエレベータ装置は、ベルトテンション調整ブラケット１１の第１長穴１１ｂ１に対応した位置に形成された図示しない第１ねじ部、及び第２長穴１１ｂ２に対応した位置に形成された図示しない第２ねじ部を備えている。また、このエレベータ装置は、第１ねじ部に螺合し、ベルトテンション調整ブラケット１１をドアポケット１０に固定する第１固定ボルト１２と、第２ねじ部に螺合し、ベルトテンション調整ブラケット１１をドアポケット１０に固定する第２固定ボルト１３とを備えている。
【００１９】
ベルトテンション調整ブラケット１１の位置を調整する本実施形態に係る位置調整装置は、図３，７等に示すように、下側に形成され、ベルトテンション調整ブラケット１１の立ち上がり部１１ｃが挿入可能な開放空間と、所定部位に係止される係止部とを有する枠体を備えている。また、枠体の側面に設けたねじ部に螺合し、一端が枠体の外部に突出し、他端が枠体の内部に収納されるねじ棒２３と、このねじ棒２３の一端に設けられ、位置調整作業者による手回しが可能なつまみ部２４とを備えている。また、ねじ棒２３の他端に設けられ、枠体に立ち上がり部１１ｃが挿入された際に、この立ち上がり部１１ｃに押圧力を付与可能な押圧部３０を備えている。
【００２０】
前述した所定部位は、前述した図示しない第１ねじ部の部位から成っている。前述した枠体の係止部は、図示しない第１ねじ部に対応する位置に形成したボルト穴から成っている。枠体は、ベルトテンション調整ブラケット１１の立ち上がり部１１ｃが挿入可能な前述の開放空間が下側に形成された第１枠体１５と、この第１枠体１５とは別体に設けた第２枠体１６とから成っている。また、第１枠体１５と第２枠体１６とを連結する連結具を備えている。
【００２１】
第２枠体１６は、下面部１６ａ、及びこの下面部１６ａに対向する上面部１６ｂを有している。係止部を形成するボルト穴は、第２枠体１６の下面部１６ａに形成したボルト穴１６ａ１と、このボルト穴１６ａ１に対向するように上面部１６ｂに形成したボルト穴１６ｂ１とから成っている。
【００２２】
また、図６に示すように、ベルトテンション調整ブラケット１１の位置調整に際して、第１固定ボルト１２に代えて設けられ、第２枠体１６の下面部１６ａに形成されたボルト穴１６ａ１、及び上面部１６ｂに形成されたボルト穴１６ｂ１に挿入され、前述した図示しない第１ねじ部に螺合する長ボルト２５を備えている。
【００２３】
前述した第１枠体１５の開放空間は、図３等に示すように、上下方向に貫通形成された開放空間１５ａから成っている。
【００２４】
前述した連結具は、図３，５等に示すように、第１枠体１５と第２枠体１６とを連結する連結ボルト１７と、この連結ボルト１７に装着され、連結ボルト１７の頭部と第１枠体１５とに当接するワッシャ１８と、連結ボルト１７に螺合するナット１９と、このナット１９と第２枠体１６とに当接するワッシャ２０とを含んでいる。
【００２５】
第２枠体１６は、図３，６に示すように、ナット１９を回転させる工具が挿入可能な挿入空間１６ｄを有している。
【００２６】
前述したねじ棒２３の他端に設けられる押圧部３０は、例えば帽子形状に形成してあり、ベルトテンション調整ブラケット１１の立ち上がり部１１ｃに当接可能なつば部３０ａを有している。また、図３，６に示すように、つまみ部２４をねじ棒２３の一端に固定するロックナット３２を備えている。第１枠体１５の側面１５ｂには、ねじ棒２３が挿入される丸穴を形成してあり、この丸穴に適合するようにねじ棒２３が螺合するねじ部を形成する第１ナット２１と、第２ナット２２を、側面１５ｂを挟むようにこの側面１５ｂに溶接固定してある。
【００２７】
また図４に示すように、ねじ棒２３に対する押圧部３０の位置を規定する位置決めナット３３を備えている。例えば、ねじ棒２３と、押圧部３０と、位置決めナット３３は、溶接により強固に一体に設けてある。
【００２８】
長ボルト２５を第２枠１６のボルト穴１６ａ１，１６ｂ１に挿入し、第１ねじに螺合させた際に、ボルト１７の頭部と、立ち上がり部１１ｃとの間に十分な調整代が形成されるように、第１枠体１５と第２枠体１６の形状寸法を設定してある。
【００２９】
このように構成した本実施形態を用いてベルトテンション調整ブラケット１１の位置調整を行うに際しては、はじめに、図２に示す第１固定ボルト１２を抜き取る。
【００３０】
次に、図３，５に示すように、連結ボルト１７及びナット１９によって第１枠体１５と第２枠体１６とが連結された状態にあって、第１枠体１５の連結ボルト１７の頭部と押圧部３０のつば部３０ａとの間に、ベルトテンション調整ブラケット１１の立ち上がり部１１ｃが位置するように、立ち上がり部１１ｃを第１枠体１５の開放空間１５ａ内に収納し、第２枠体１６の下面部１６ａのボルト穴１６ａ１がドアポケット１０に形成した図示しない第１ねじ部に適合するように、これらの第１枠体１５と第２枠体１６を配置する。
【００３１】
この状態で、第２枠体１６のボルト穴１６ｂ１，１６ａ１に長ボルト２５を挿入し、この長ボルト２５を、第２枠体１６の摺動が可能なように図示しない第１ねじ部に緩めに螺合させる。例えばここで、第２固定ボルト１３も緩める。
【００３２】
ここで図６，７に示すように、位置調整作業者は、つまみ部２４を把持し、第１枠体１５の開放空間１５ａの上方から目視確認しながら、ねじ棒２３を介して押圧部３０のつば部３０ａがベルトテンション調整ブラケット１１の立ち上がり部１１ｃに当接するように、このつまみ部２４を回転させる。
【００３３】
この状態から、つまみ部２４をさらに回転させると、ねじ棒２３が立ち上がり部１１ｃ方向に移動して、ねじ棒２３の他端に設けた押圧部３０のつば部３０ａがベルトテンション調整ブラケット１１の立ち上がり部１１ｃを押圧し、この立ち上がり部１１ｃを移動させる。
【００３４】
これにより図２に示す平板部１１ｂがドアポケット１０の上面部１０ａ上を摺動し、第２プーリ保持部１１ａが移動して、主ベルト６にテンションが付与される。
【００３５】
この状態において、主ベルト６のテンションが適正範囲内かどうか検査される。適正範囲内でなければ、再びつまみ部２４の回転操作が行われる。
【００３６】
主ベルト６のテンションが適正範囲内であるときには、第２固定ボルト１３を締め付け、この第２固定ボルト１３によってベルトテンション調整ブラケット１１をドアポケット１０の上面部１０ａに固定する。
【００３７】
次に、長ボルト２５を第１ねじ部及び第２枠体１６のボルト穴１６ａ１，１６ｂ１から抜き取り、本実施形態に係る位置調整装置をベルトテンション調整ブラケット１１から取り外す。
【００３８】
ここで、第１固定ボルト１２を図示しない第１ねじ部に螺合させ、この第１固定ボルト１２を締め付け、この第１固定ボルト１２によってもベルトテンション調整ブラケット１１をドアポケット１０の上面部１０ａに固定する。
【００３９】
なお、取り外した本実施形態に係る位置調整装置は、必要ならば連結具を構成する連結ボルト１７、ワッシャ１８、ナット１９、及びワッシャ２０を取り外し、第１枠体１５と第２枠体１６とに分解する。
【００４０】
このように構成した本実施形態に係るベルトテンション調整ブラケットの位置調整装置によれば、レンチを要することなく、つまみ部２４を把持して回転させるだけでベルトテンション調整ブラケット１１の位置調整を行うことができ、位置調整作業が簡単で、このベルトテンション調整ブラケット１１の位置調整作業の能率を向上させることができる。
【００４１】
また本実施形態は、所定部位に係止される枠体の係止部が、ドアポケット１０に形成した第１ねじ部に対応する位置に設けた第２枠体１６の下面部１０ａのボルト穴１６ａ１、及び上面部１６ｂのボルト穴１６ｂ１から成ることから、この枠体の係止部を簡単に設けることができ、実用的である。
【００４２】
また本実施形態は、連結ボルト１７、ワッシャ１８、ナット１９、及びワッシャ２０を取り外すことにより、前述したように第１枠体１５と第２枠体１６とに分解することができる。このように第１枠体１５と第２枠体１６とに分解することにより、当該位置調整装置の運搬、及び保管の利便性を確保できる。
【００４３】
また本実施形態は、ベルトテンション調整ブラケット１１の位置調整に際して、長ボルト２５を第２枠体１６の上面部１６ｂに形成したボルト穴１６ｂ１、及び下面部１６ａに形成したボルト穴１６ａに挿入した状態で、ドアポケット１０の第１ねじ部に螺合させることにより、押圧部３０によるベルトテンション調整ブラケット１１の立ち上がり部１１ｃの押圧に際しての第１枠体１５及び第２枠体１６の係止力を、長ボルト２５の２箇所において受けることができる。
【００４４】
これにより、ベルトテンション調整ブラケット１１の位置調整に際し、第１枠体１５及び第２枠体１６を安定した状態に保つことができ、また長ボルト２５に作用する応力集中を分散させることができ、耐久性に優れた信頼性の高い位置調整装置を実現できる。
【００４５】
また本実施形態は、ベルトテンション調整ブラケット１１の立ち上がり部１１ｃと、押圧部３０との当接状態を、第１枠体１５の開放空間１５ａを介して目視確認することができ、ベルトテンション調整ブラケット１１の位置調整作業の能率向上に貢献する。
【００４６】
また本実施形態は、第２枠体１６の挿入空間１６ｄから工具を挿入することによって、第１枠体１５と第２枠体１６を連結する連結ボルト１７、ワッシャ１８、ナット１９、及びワッシャ２０を容易に取り外すことができ、工具の回転操作に要する作業空間が小さくて済む。
【００４７】
また本実施形態は、押圧部３０のつば部３０ａによって、ベルトテンション調整ブラケット１１の立ち上がり部１１ｃに対する安定した比較的大きな接触面積を確保でき、これにより押圧部３０を介して立ち上がり部１１ｃに押圧力を付与することができる。
【００４８】
また本実施形態は、ロックナット３２によってつまみ部２５をねじ棒２３の一端に、脱落しないように堅固に固定することができる。
【００４９】
また本実施形態は、ねじ棒２３と押圧部２３と位置決めナット３３とを溶接によって強固に一体に固定したことにより、つまみ部２４の回転に伴って生じる押圧力を、ねじ棒２３、押圧部３０を介してベルトテンション調整ブラケット１１の立ち上がり部１１ｃに効率良く伝えることができる。
【００５０】
なお、本発明は前述した実施形態に限られず、種々の態様を取り得る。例えば、第２枠体１６を図示しない第１ねじ部に係止させる係止部として、長ボルト２５の挿入が可能なボルト穴１６ａ１，１６ｂ１を設けたが、このようなボルト穴１６ａ１，１６ｂ１に代えて、第１ねじ部に螺合している例えば第１固定ボルト１２に係止させる切り欠き部を設けた構成にしてもよい。
【００５１】
また、第１枠体１５と第２枠体１６とを、連結ボルト１７の頭部が第１枠体１５内に収納され、連結ボルト１７に螺合するナット１９が第２枠体１６内に収納されるようにして連結したが、これとは逆に、連結ボルト１７の頭部が第２枠体１６内に収納され、ナット１９が第１枠体１５内に収納されるようにして、第１枠体１５と第２枠体１６とを連結してもよい。
【００５２】
また前述した実施形態では、ねじ棒２３と、押圧部３０と、位置決めナット３３を、溶接によって強固に一体に固定したが、本発明は、このように構成することには限られない。例えば、ねじ棒２３に対する押圧部３０の位置を規定する位置決めナット３３とともに、押圧部３０を挟むように位置決めナット３３の反対側に位置するようにねじ棒２３に螺合し、押圧部３０のつまみ部２４方向への移動を規制する規制ナットを備え、位置決めナット３３及び規制ナットをねじ棒２３に溶接によって一体に設け、押圧部３０をねじ棒２３に遊嵌させた構成にしてもよい。
【００５３】
このように構成したものでは、押圧部３０をねじ棒２３に遊嵌させたことから、押圧部３０を立ち上がり部１１ｃに当接させる際に、この押圧部３０のつば部３０ａの全面が立ち上がり部１１ｃに当接するように、押圧部３０に与えられる押圧力に応じてこの押圧部３０を揺動させることができる。
【００５４】
また前述した実施形態では、第１枠体１５が、上下方向に貫通形成した開放空間１５ａを有しているが、上面部分を例えば透明体からなる平板部で塞ぐようにしてもよい。
【００５５】
また第１枠体１５の側面１５ｂにねじ棒２３が螺合するねじ部を形成する第１ナット２１、及び第２ナット２２を設けてあるが、これらの第１ナット２１及び第２ナット２２に代えて、第１枠体１５の側面１５ｂにねじ棒２３が螺合するねじ部を形成してもよい。
【００５６】
また、第２枠体１６は、下面部１６ａと上面部１６ｂを有する構成にしてあるが、上面部１６ｂを除いた構成にし、下面部１６ａに例えば第１固定ボルト１２が挿入されるボルト穴を形成するようにしてもよい。このように本発明に係るベルトテンション調整ブラケットの位置調整装置は、本発明の範囲内で種々の態様を取り得る。
【符号の説明】
【００５７】
１    ドアモータ
３    ベルト
４    第１プーリ
５    第２プーリ
６    主ベルト
９    かごドア
１０    ドアポケット
１０ａ  上面部
１１    ベルトテンション調整ブラケット
１１ａ  第２プーリ保持部
１１ｂ  平板部
１１ｂ１  第１長穴
１１ｂ２  第２長穴
１１ｃ  立ち上がり部
１２    第１固定ボルト
１３    第２固定ボルト
１５    第１枠体
１５ａ  開放空間
１５ｂ  側面
１６    第２枠体
１６ａ  下面部
１６ａ１  ボルト穴（係止部）
１６ｂ  上面部
１６ｂ１  ボルト穴（係止部）
１６ｃ  開放空間
１６ｄ  挿入空間
１７    連結ボルト（連結具）
１９    ナット（連結具）
２１    第１ナット
２２    第２ナット
２３    ねじ棒
２４    つまみ部
２５    長ボルト
３０    押圧部
３０ａ  つば部
３２    ロックナット
３３    位置決めナット
【図１】
2016155668.tif 000003
【図２】
2016155668.tif 000004
【図３】
2016155668.tif 000005
【図４】
2016155668.tif 000006
【図５】
2016155668.tif 000007
【図６】
2016155668.tif 000008
【図７】
2016155668.tif 000009